(57)【要約】      （修正有）【課題】スト−マ装具面板にソフトシリコ−ンスポンジシ−ルを設ける事で排便洩れ防止が出来て又一時的に排便制御が出来てスト−マ保有者が幅広い安心安全の日常生活を送る事を提供する。【解決手段】面板にソフトシリコ−ンスポンジシ−ル１を設け装着する事でスト−マの変形による隙間を無くし矯正する役目とスト−マ部のぜん動運動によるお腹部分の凹凸による空洞化を対処する事又排便制御が出来る。【選択図】図１
2015058333.tif 000002
【特許請求の範囲】
【請求項１】
スト−マ装具面板の挿入口にクッション、スト−マの排便出口に排便制御用開閉袋を設ける、以上の構成によりなる排便洩れ防止及び排便制御装具。
【発明の詳細な説明】
【技術分野】
【０００１】この発明は、スト−マ保有者が使用する一般市販面板とスト−マ異形径の隙間から排便洩れがおきる。又排便の制御が出来ない為、特に入浴時が不安で安心安全の生活が送れないので不安解消の為の排便洩れ防止及び排便制御装具に関する物である。
【背景技術】
【０００２】従来の排便装具の中で市販面板の穴径とスト−マ異形径による隙間及びぜん動運動が原因でおきる排便洩れに対処する物は市場には無く粘土で隙間を埋める物が有りますが確実に洩れる、又排便の制御をする物は無く毎日の行動の中でスト−マ保有者は常に安心安全の生活が送れず不安を抱えている。
【発明の開示】
【発明が解決しようとする課題】
【０００３】市販面板は従来、スト−マの大きさに合わせて面板に穴加工された物か自分でスト−マ径に合わせて穴をハサミで切り取るものが有りますがスト−マの異形径等でどうしても隙間ができるのと腸のぜん動運動でスト−マ周りのお腹の面が凹凸を繰り返す中で凹み状態の時に面板取付け面とお腹の面の間に隙間及び空洞ができるそこへ異形による隙間から排便が浸入すると面板がいずれ剥がれて大変な事態が起きる。そこで隙間と空洞を塞ぐ事が排便の浸入を防ぐポイントであると考えてスポンジのクッション力を応用し解決しようとするものでスト−マ径よりやや小さい穴径のソフトシリコ−ンスポンジシ−ルの厚みを圧縮して挟む事で排便の進入を塞ぐ事が出来る。無防備な面板構造部に欠点をなくす為になされたものである。又スト−マの先端部にはド−ム（２）でおおい又は巾着袋の口の様な開閉口を設けて入浴時等は一時的に閉にして使用する事で排便の制御が出来るので温泉施設でも気軽に安心安全の入浴を楽しむ事が出来る。
【課題を解決するための手段】
【０００４】ソフトシリコ−ンスポンジシ−ル（１）を自分のスト−マ径に応じ挿入口径を少し小さ目の物を選定し透明リング（３）に指で少し広げ先端部に取付け自分のスト−マを目で確認しながらそっと挿入してＥ−断面の“ｂ”矢視部を指で添えて透明リング（３）を抜取りお腹に密着させて市販面板と同等の肌に優しい接着面をお腹と一体感を持たせる、その後市販面板を挿入して面板全面に圧力を加えソフトシリコ−ンスポンジシ−ル（１）の厚みを圧縮する事で均一に張付られ。腸のぜん動運動でお腹の面が凹み隙間及び空洞化状態になるとソフトシリコ−ンスポンジシ−ル（１）がお腹の凹みに応じスポンジのクッション力でお腹の動きに連動してふくらみ空洞が出来ない様に空洞を埋めてくれ排便の浸入を防いでくれる、又凸の状態の場合は取付け面に圧力がかかり、尚密着性が高まるのでシ−ル性が上がる、以上の事から排便の浸入を防ぐ対策が出来る構造からなる排便洩れ防止装具である。又スト−マの先端部には透明ド−ム（２）でおおい開閉口にはスライドジッパ−を設ける。又は巾着袋の口の様な開閉口を設けて通常は開放して使用して入浴時等は一時的に排便袋の外から閉にして使用する事で排便の制御が出来るので温泉施設等でいつでも気軽に安心安全の入浴を楽しむ事が出来る。
本発明は以上の構成よりなる排便制御装具である。
【発明の効果】
【０００５】排便洩れの道を塞ぐ事及び腸のぜん動運動で市販面板を取付けた面とお腹の間に出来る隙間及び空洞化をソフトシリコ−ンスポンジシ−ル（１）の厚みによるクッション力を応用してお腹の凹み隙間及び空洞に応じてソフトシリコ−ンスポンジシ−ル（１）のクッション力で凹みに応じ連動して隙間及び空洞化を埋めてくれるので面板の裏面に排便の浸入を防ぎ遮断できる構成からなる排便洩れ防止装具である。排便は時と場所を選ばずあるので、万が一入浴時に排便があると困るのでスト−マ保有者は不びんを感じていて毎日入浴できないのが現実で、スト−マ先端部にはソフトシリコ−ンスポンジシ−ル（１）と一体物にする透明ド−ム（２）でおおい開閉口にはスライドジッパ−を設ける。又は巾着袋の口の様な開閉口を設けて通常は開放して使用して入浴時等排便がおきて都合の悪い時は一時的に排便袋の外から閉にして使用する事で排便の制御が出来るので何時でも気軽に入浴を楽しむ事が出来る排便制御装具であり。毎日の行動の中でいかなる状況でも幅広い面で普通人と変わらず安心安全の日常生活を送る事が出来る。
【発明を実施するための最良の形態】
【０００６】以下、本発明を実施するための最良の形態について説明する。
面板のスト−マ挿入口にソフトシリコ−ンスポンジシ−ル（１）を自分のスト−マ径に応じて挿入口径を少し小さめのものを選定してＥ−断面の様に透明ドームの開閉口を開にして透明リング（３）に指で広げ先端部に取付け自分のスト−マを目で覗き確認しながらそっと挿入する“ｂ”矢視部に指を添えて透明リング（３）を抜取りスト−マの異形径を矯正してはめる、［図３］Ｆ部詳細図の様な状態にする［図１］のＡ部詳細のソフトシリコ−ンスポンジシ−ルの“ａ”の部分三面は軟質シリコ−ンの薄い膜を貼り外面に市販面板と同等の肌に優しい接着液を塗布させたものをお腹に密着させて張付る、その後市販面板を挿入して面板全面に圧力を加えソフトシリコ−ンスポンジシ−ル（１）の厚みを均等に圧縮すると透明リングを抜取る、充分に圧縮する事により接着面とお腹に一体感を持たせ、ぜん動運動でお腹の面の動きに応じてお腹が凹み状態になると連動してソフトシリコ−ンスポンジシ−ル（１）のクッション力によりすかさず膨らみ隙間ができない様に塞ぎ浸入を防ぐ又、凸の状態の場合は取付け面に圧力がかかり尚、密着性が高まるのでシ−ル性が上がる。以上の事から排便の浸入を防ぐ対策が出来る構造からなる。［図３］のＤ−断面の様な状態で取付けスト−マの隙間を塞ぐ［図３］のＢ−Ｂ矢視及びＣ−断面のごとく排便の道を塞ぎ又ぜん動運動によるお腹の凹みにより面板とお腹の間に隙間及び空洞が出来る事を阻止する事と、面板の挿入口径とスト−マの異形径との隙間をなくして排便の浸入がおきない様な物にする事でいかなる排便でも安心安全の生活が出来る。今までの市販面板のように無防備に排便の浸入を受け入れない構造にした排便洩れ防止装具である。又スト−マ先端部には人体に無害の透明シリコ−ンゴムのド−ム（２）でおおい開閉口にはスライドジッパ−を設ける。又は巾着袋の口の様な開閉口を設けて通常は開放にして使用して入浴時等都合の悪い時には一時的に排便袋の外から閉にして使用する事で排便の制御が出来るので毎日入浴出来なかった事等の他にも毎日の行動の中で幅広い面で普通人と変わらない安心安全な日常生活を送る事が出来る。このド−ム（２）及び巾着口の反対面はソフトシリコ−ンスポンジシ−ル（１）側と接着剤にて一体物にする事で排便袋の取替えも今までと変わらず面板ごと剥がして使い捨てできるので簡単に交換出来る上安価な物で仕上げる事が出来て使い捨てが可能な排便制御装具でもある。
【図面の簡単な説明】
【０００７】
【図１】  本発明の取付け状態の断面図及び正面図他詳細図である。
【図２】  本発明の製品の斜視図である。
【図３】  本発明の矢視図及び断面図説明用図面である。
【符号の説明】
【０００８】  １    ソフトシリコ−ンスポンジシ−ル
２    ド−ム
３    透明リング
【図１】
2015058333.tif 000003
【図２】
2015058333.tif 000004
【図３】
2015058333.tif 000005
【手続補正書】
【提出日】平成25年11月6日(2013.11.6)
【手続補正１】
【補正対象書類名】特許請求の範囲
【補正対象項目名】請求項１
【補正方法】変更
【補正の内容】
【請求項１】
スト−マ装具面板の挿入口にクッションを、排便出口に排便制御用仕切り弁なる物を設ける、以上の構成によりなる排便洩れ防止及び排便制御装具。
【手続補正２】
【補正対象書類名】明細書
【補正対象項目名】０００１
【補正方法】変更
【補正の内容】
【０００１】この発明は、スト−マ保有者が使用する一般市販面板挿入口穴径とスト−マ異形外径による隙間及び腸のぜん動運動でおきる変形凹み空洞が原因で排便洩れがおきる。又排便の制御が出来ない事での不安を取除く為の、排便洩れ防止及び排便制御装具に関する物である。
【手続補正３】
【補正対象書類名】明細書
【補正対象項目名】０００２
【補正方法】変更
【補正の内容】
【０００２】従来の排便装具の中で市販面板挿入口穴径とスト−マ異形径による隙間及びぜん動運動が原因でおきる排便洩れに対処する物は市場には無く粘土で隙間を埋める物が有りますが確実に洩れる、これを含めて排便の制御も対処する物は市場には無い。
【手続補正４】
【補正対象書類名】明細書
【補正対象項目名】０００３
【補正方法】変更
【補正の内容】
【０００３】これは次のような欠点があった。
市販面板は従来、スト−マの大きさに合わせて面板に穴加工された物か自分でスト−マ径にあわせてその都度穴をハサミで切取る物が有りますがスト−マの異形径等でどうしても隙間が出来るのと腸のぜん動運動でスト−マ周りのお腹の面が凹凸を繰り返す中で凹み状態の時に面板取付け面とお腹の間に隙間及び変形凹み空洞が出来る。それが原因で排便洩れが起きる。今までのスト−マ装具の面板は全て無防備で排便の道を塞ぐ考慮はなされていない。無防備なスト−マ装具の面板構造部に欠点があった。又排便の制御の出来る物が市場に無い為に、日常生活の中で困る事が多々あった。
本発明は以上のような欠点をなくす為になされた物である。
【手続補正５】
【補正対象書類名】明細書
【補正対象項目名】０００４
【補正方法】変更
【補正の内容】
【０００４】ソフトシリコ−ンスポンジシ−ル（１）を面板挿入口穴径とスト−マ外形の間に自分のスト−マ径に応じて挿入口径を少し小さ目の物を選定して隙間を塞ぎ透明ド−ム（２）を開にしておいて透明リング（３）に指で少し広げ先端部に取付け自分のスト−マを傷付けない様に目で確認しながらそっと挿入してＥ−断面の“ｂ”矢視部に指を添えて透明リング（３）を抜取りお腹に最良の位置に配置する、その後市販面板を挿入して面板穴周り全面に圧力を加えソフトシリコ−ンスポンジシ−ル（１）の厚みを圧縮して均等に張付ける事でお腹との一体感を持たせる事で排便の道を塞ぐ。又腸のぜん動運動でおきるお腹の変形凹み空洞に対してはスポンジの厚みを圧縮した事でお腹面の変形凹み空洞の動きがあればスポンジが膨らみ埋めて隙間を造らせない仕組みである。又スト−マの先端部には透明ド−ム（２）でおおい開閉口にはスライドジッパ−を設ける。又巾着袋の口の様な開閉口を設ける事で二室にして排便の制御をする。透明ド−ム（２）はソフトシリコ−ンスポンジシ−ル（１）と接着剤等で一体物にしておきます。
本発明は以上の構成よりなる排便洩れ防止装具及び排便制御装具でもある。
【手続補正６】
【補正対象書類名】明細書
【補正対象項目名】０００５
【補正方法】変更
【補正の内容】
【０００５】排便洩れの原因は市販面板挿入口穴径と異形スト−マ外形との間に隙間が出来る、その排便の道を塞ぐ事及び腸のぜん動運動で市販面板を取付けた面とお腹の間に出来る隙間及び変形凹み空洞に排便の浸入を塞ぐ事が排便洩れの対策である。そこで面板挿入口径とスト−マの異形径との間に隙間無くソフトシリコ−ンスポンジシ−ルを嵌める、スポンジの表面の繊維質が排便の浸入に滑りを悪くし浸入に抵抗をもたらしてくれる、空洞に対してはお腹の貼付け面に当たる部分のスポンジの厚みを均等に圧縮して面板とお腹の間に挟み接着する事により発生するスポンジのクッションの反発力を応用する。お腹の凹みによる隙間及び変形凹み空洞に同調してソフトシリコ−ンスポンジシ−ルが膨らみ隙間及び変形凹み空洞を埋めてくれるので面板の裏面に排便の浸入を防ぎ遮断できる構成である。これは排便装具の中でツ−ピ−ス、ワンピ−スの種別タイプの区別無く共用出来る利点があり万能向きで便利である。排便は時と場所を選ばずあるのでいかなる状況での排便も気にしない。スト−マ先端部にはド−ムに仕切り弁なる物を設け二室にする事で排便の制御が出来るので排便がおきては困る時、都合の悪い入浴時等は一時的に閉にして使用する事で気軽に安心安全の入浴を楽しむ事が出来る。今までの排便装具と変わらず取替えも同じで簡単に使い捨て感覚で使用出来るのでさしつかえない。日常生活の中で普通の人とかわらない不安の無い安心安全の日常生活を送る事が出来る。
【手続補正７】
【補正対象書類名】明細書
【補正対象項目名】０００６
【補正方法】変更
【補正の内容】
【０００６】以下、本発明を実施するための最良の形態について説明する。
排便装具の市販面板貼付け面とお腹の間に穴のあいたスポンジシ−ルなる物を挟むだけの事で解決しようと考案しました。スト−マ保有者は日常生活で常に不安な日々を送っている排便洩れは便が硬い時には確実に起きる。じわじわとした排便圧力が面板挿入口穴径とスト−マ異形外径との隙間からお腹の面に圧力を受けると同時にぜん動運動でお腹の凹み状態の時に合致した時に一揆に排便があり面板の接着面を剥がしお腹面の間に変形凹み空洞をつくりながら浸入して気がつかないうちに面板を剥がしてしまうのが現状です。そこで面板挿入口穴径とスト−マ外形の間に隙間を無くす為の対策にソフトシリコ−ンスポンジシ−ル（１）を嵌める、Ａ部詳細の説明で“ｃ”の寸法はスト−マとの接触面をある程度長くとる事でスポンジの表面の繊維質が排便の浸入の滑りを悪くするのと、一揆の排便排出の時はスト−マ内側に内圧がかかり外周は膨らみソフトシリコ−ンスポンジシ−ル（１）の内径周上に押付けて排便の浸入に抵抗をもたらしてくれるのでスト−マの外周部のシ−ル対策にもなる。もうひとつは腸のぜん動運動で起きるお腹面の変形凹み空洞に対してはお腹の貼付け面に当たるスポンジ部分の厚みを圧縮して面板とお腹の間に挟み接着する事でスポンジが発生する反発力によるクッション力を応用する。お腹が凹みの動きを始めるとソフトシリコ−ンスポンジシ−ル（１）が膨らみ同調して隙間及び変形凹み空洞をうめていくので面板の裏面に排便の侵入を受け入れない隙間を造らせない遮断できる構成である。一部重複しますが図中の説明を致します、自分のスト−マ径に応じて挿入口径を少し小さ目のソフトシリコ−ンスポンジシ−ル（１）を選定しておいてＥ−断面の様に透明ド−ム（２）の開閉口を開にしてから人体に無害のプラスチック性の透明リング（３）に指で少し広げ先端部に取付け自分のスト−マを傷つけない様に目で確認しながらそっと挿入すると、“ｂ”矢視部に指を添えて透明リング（３）を少し抜取りスト−マの異形径を矯正して最良の位置に配置する、［図３］Ｆ−断面図の様な状態です。［図１］のＡ部詳細のソフトシリコ−ンスポンジシ−ル（１）は“ａ”の部分三面は軟質シリコ−ンの薄い膜を貼り外面に市販面板と同等の肌に優しい接着液を塗布された物としておきます。配置した後には透明リング（３）の外形をガイドにして面板を挿入したら面板挿入口穴周り全面に圧力を加えソフトシリコ−ンスポンジシ−ル（１）の厚みを均等に圧縮すると透明リング（３）を抜取ります。充分圧縮する事により接着面とお腹に一体感を持たせる事が、お腹面の変形凹み空洞に対しても順応してくれて排便の浸入の隙間を造らないで塞ぐ事が出来て、洩れを防ぐ仕組みが出来る逆に凸の状態の場合は取付け面に圧力がかかり尚密着性が高まるのでシ−ル性が上がる好条件になるから心配のない構造である。図中の［図３］のＤ−断面の上半分の様な状態です。［図３］のＢ−Ｂ矢視及びＣ−断面のごとく排便の道を塞ぎ又腸のぜん動運動によるお腹の凹みにより面板とお腹の間に隙間及び変形凹み空洞が出来る事を阻止する事と、面板の挿入口穴径とスト−マの異形外径との隙間をなくして排便の浸入が起きない様にした状態の説明図である。念の為にソフトシリコ−ンスポンジシ−ル（１）の根っこに軽く絞まる程度の輪ゴム（４）を嵌める事でいかなる排便も気にせず不安の無い安心安全の生活が出来る。今までの市販面板の様に無防備に排便の浸入を受け入れない構造にした排便洩れ防止装具である。又スト−マ先端部には人体に無害の素材他透明シリコ−ンゴムのド−ム（２）でおおい開閉口にはスライドジッパ−を設ける。
又は巾着袋の口の様な開閉口を設けて仕切り弁なる役目を果たし二室にする事で、通常は開放して使用して入浴時等排便があれば困る都合の悪い時には一時的に排便袋の外からスライドジッパ−を閉にして特許申請中の［出願番号］特願２０１２−０５０９７６温泉入浴装具と合わせて使用する事で不安があったが安心して気軽に入浴出来る様になる。又排便袋取付け方の種別タイプでツ−ピ−ス、ワンピ−スも区別無く共用できるのでスト−マ保有者全ての人に対応出来る利点が有る。毎日の行動の中でいろんな幅広い面で普通の人と変わらない不安の無い安心安全な日常生活を送る事が出来る。このド−ム（２）の出口及び巾着口の反対面はソフトシリコ−ンスポンジシ−ル（１）側と接着剤等にて一体物にする事で排便袋の取替えも今までのスト−マ装具の使用感覚と変わらず違和感無く面板ごと剥がして使い捨てできる。
本発明は、以上のような構造である。
【手続補正８】
【補正対象書類名】明細書
【補正対象項目名】０００８
【補正方法】変更
【補正の内容】
【０００８】４    輪ゴム
【手続補正９】
【補正対象書類名】図面
【補正対象項目名】全図
【補正方法】変更
【補正の内容】
【図１】
2015058333.tif 000006
【図２】
2015058333.tif 000007
【図３】
2015058333.tif 000008
【手続補正書】
【提出日】平成26年1月18日(2014.1.18)
【手続補正１】
【補正対象書類名】特許請求の範囲
【補正対象項目名】請求項１
【補正方法】変更
【補正の内容】
【請求項１】
ストーマ装具面板の挿入口部にソフトシリコーンスポンジシール（１）を設ける、排便出口にスライドジッパー付の透明ドーム（２）を設ける事で排便室の仕切りになる物を設ける、位置決め用の透明リング（３）を設ける、以上の構成によりなる排便洩れ防止装具及び排便制御装具。